(57)【要約】【課題】大型化を抑制しつつ、複数の回路基板を適切に冷却する冷却装置を備えたプロジェクターを提供する。【解決手段】プロジェクター１は、空間を介して重ねられた複数の第１回路基板４１と、複数の第１回路基板４１を冷却する冷却装置６と、を備える。冷却装置６は、空気を吸入する吸入口をそれぞれ有し、複数の第１回路基板４１の端部側に配置され、複数の第１回路基板４１に向かって空気を送出する第１シロッコファン６１および第２シロッコファン６２を有し、第１シロッコファン６１および第２シロッコファン６２は、それぞれの吸入口が互いに向き合い、第１シロッコファン６１から送出される空気の第１送出方向と、第２シロッコファン６２から送出される空気の第２送出方向とが交差するように配置されている。【選択図】図５
2019082528.tif 000002
【特許請求の範囲】
【請求項１】
光を射出する光源と、
前記光源から射出された光を画像情報に応じて変調する光変調装置と、
前記光変調装置により変調された光を投写する投写光学装置と、
空間を介して第１方向に重ねられた複数の第１回路基板と、
前記複数の第１回路基板を冷却する冷却装置と、
を備え、
前記冷却装置は、
空気を吸入する吸入口をそれぞれ有し、前記第１方向に直交する第２方向における前記複数の第１回路基板の端部側に配置され、前記複数の第１回路基板に向かって空気を送出する第１シロッコファンおよび第２シロッコファンを有し、
前記第１シロッコファンおよび前記第２シロッコファンは、それぞれの前記吸入口が互いに向き合い、前記第１シロッコファンから送出される空気の第１送出方向と、前記第２シロッコファンから送出される空気の第２送出方向とが交差するように配置されていることを特徴とするプロジェクター。
【請求項２】
請求項１に記載のプロジェクターであって、
前記複数の第１回路基板は、画像処理を行う第１集積回路を有する画像処理基板を有し、
前記第１集積回路は、前記第１シロッコファンから送出された空気と前記第２シロッコファンから送出された空気とが衝突した空気の進行方向に配置されていることを特徴とするプロジェクター。
【請求項３】
請求項１または請求項２に記載のプロジェクターであって、
接続基板をさらに備え、
前記複数の第１回路基板は、当該プロジェクターを制御する制御基板を有し、
前記接続基板は、前記複数の第１回路基板のうちの前記制御基板とは異なる第１回路基板と前記制御基板とを接続し、前記第１方向および前記第２方向に交差する第３方向における前記複数の第１回路基板の端部側に配置され、前記第１方向に沿って延出することを特徴とするプロジェクター。
【請求項４】
請求項３に記載のプロジェクターであって、
前記複数の第１回路基板は、当該プロジェクターの機能を拡張する拡張基板を有し、
前記拡張基板は、前記複数の第１回路基板において前記接続基板が配置される側とは反対の端部側から前記接続基板に接続可能に構成されていることを特徴とするプロジェクター。
【請求項５】
請求項１〜請求項４のいずれか一項に記載のプロジェクターであって、
前記複数の第１回路基板において前記第１シロッコファンおよび前記第２シロッコファンが配置される側とは反対の端部側に配置され、第２集積回路を有する第２回路基板をさらに備え、
前記第２集積回路は、前記第１シロッコファンから送出された空気と前記第２シロッコファンから送出された空気とが衝突した空気の進行方向に配置されていることを特徴とするプロジェクター。
【請求項６】
請求項１〜請求項５のいずれか一項に記載のプロジェクターであって、
外装を構成する外装筐体をさらに備え、
前記外装筐体は、外部の空気を導入する吸気口を有し、
前記吸気口は、前記第２方向に沿う方向から見て、少なくとも一部が前記第１シロッコファンと前記第２シロッコファンとの間の領域に重なる位置に配置されていることを特徴とするプロジェクター。
【発明の詳細な説明】
【技術分野】
【０００１】
本発明は、プロジェクターに関する。
【背景技術】
【０００２】
従来、光源から射出された光を画像情報に応じて変調し、変調した光をスクリーン等の投写面に投写するプロジェクターが知られている。プロジェクターは、外部機器から入力された信号の画像信号への変換や画質調整等を行うための回路基板を備えている。回路基板は、動作に伴って発熱するので、この回路基板を冷却するように構成されたプロジェクターが提案されている（例えば、特許文献１参照）。
【０００３】
特許文献１に記載の投写型表示装置（プロジェクター）は、電源ブロック、外部からの入力信号を処理する画像処理基板（回路基板）、装置内部で発生した熱を装置外部に排出すると共に、電源ブロックや画像処理基板を冷却する２つの排気ファン、および吸気口、排気口を有する外装ケースを備える。２つの排気ファンは、軸流ファンで構成され、排気口の近傍で並設されている。画像処理基板は、排気ファンが駆動されることによって、吸気口から導入された外気によって冷却される。そして、画像処理基板を冷却した空気は、排気口からプロジェクター外部へ排気される。
【先行技術文献】
【特許文献】
【０００４】
【特許文献１】特開２０１４−２０２８７６号公報
【発明の概要】
【発明が解決しようとする課題】
【０００５】
しかしながら、特許文献１に記載の技術では、２つの排気ファンが並設されている方向における２つの排気ファンの占有領域が大きく、プロジェクターが大型化する。また、特許文献１に記載の軸流ファンで構成された排気ファンでは、画像処理基板（回路基板）が有する特に発熱量が大きな回路素子に適切に冷却風を流通させることが難しく、回路素子が許容の温度を超える恐れがある。
さらに、近年、プロジェクターは、高解像度の画像の投写や高機能化が求められており、それに伴って回路基板の拡大や回路基板の構成枚数の増加、および回路基板の発熱量が増大する。そのため、特許文献１に記載の技術では、プロジェクターがさらに大型化することや、回路基板がさらに冷却不足となる恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光を射出する光源と、前記光源から射出された光を画像情報に応じて変調する光変調装置と、前記光変調装置により変調された光を投写する投写光学装置と、空間を介して第１方向に重ねられた複数の第１回路基板と、前記複数の第１回路基板を冷却する冷却装置と、を備え、前記冷却装置は、空気を吸入する吸入口をそれぞれ有し、前記第１方向に直交する第２方向における前記複数の第１回路基板の端部側に配置され、前記複数の第１回路基板に向かって空気を送出する第１シロッコファンおよび第２シロッコファンを有し、前記第１シロッコファンおよび前記第２シロッコファンは、それぞれの前記吸入口が互いに向き合い、前記第１シロッコファンから送出される空気の第１送出方向と、前記第２シロッコファンから送出される空気の第２送出方向とが交差するように配置されていることを特徴とする。
【０００８】
この構成によれば、第１シロッコファンおよび第２シロッコファンが複数の第１回路基板の端部側からこの複数の第１回路基板に向かって空気を送出するので、複数の第１回路基板をまとめて冷却することができる。また、シロッコファンは、軸流ファンに比べて風速を高めて空気を送出するので、複数の第１回路基板が有する特に発熱量が大きな回路素子を効率良く冷却することが可能となる。
また、第１シロッコファンおよび第２シロッコファンは、第１送出方向と第２送出方向とが交差するように配置されている。すなわち、第１シロッコファンおよび第２シロッコファンは、複数の第１回路基板から遠ざかるにしたがって、互いの距離が大きくなるように、互いに傾斜している。これによって、第１シロッコファンから送出された空気と、第２シロッコファンから送出された空気とを衝突させて複数の第１回路基板に乱流を流通させることが可能となる。よって、層流では生じる部材（複数の第１回路基板が有する回路素子）表面での温度境界層を抑制し、複数の第１回路基板を効率良く冷却することが可能となる。
また、第１シロッコファンと第２シロッコファンとが互いに傾斜しているので、２つの軸流ファンが並設された構成に比べ、２つのファンが並設されている方向におけるプロジェクター内の第１シロッコファンおよび第２シロッコファンの占有領域を小さく構成できる。
したがって、発熱量が大きな回路素子を有し、複数の第１回路基板を備えた構成であっても、大型化を抑制しつつ、高信頼性の複数の第１回路基板を備えたプロジェクターの提供が可能となる。
【０００９】
［適用例２］上記適用例に係るプロジェクターにおいて、前記複数の第１回路基板は、画像処理を行う第１集積回路を有する画像処理基板を有し、前記第１集積回路は、前記第１シロッコファンから送出された空気と前記第２シロッコファンから送出された空気とが衝突した空気の進行方向に配置されていることが好ましい。
【００１０】
この構成によれば、第１シロッコファンから送出された空気と、第２シロッコファンから送出された空気との衝突で発生する乱流を有効に第１集積回路に流通させることができる。よって、第１集積回路が効率良く冷却されるので、高信頼性の画像処理基板を備えたプロジェクターの提供が可能となる。
【００１１】
［適用例３］上記適用例に係るプロジェクターにおいて、接続基板をさらに備え、前記複数の第１回路基板は、当該プロジェクターを制御する制御基板を有し、前記接続基板は、前記複数の第１回路基板のうちの前記制御基板とは異なる第１回路基板と前記制御基板とを接続し、前記第１方向および前記第２方向に交差する第３方向における前記複数の第１回路基板の端部側に配置され、前記第１方向に沿って延出することが好ましい。
【００１２】
この構成によれば、第１シロッコファンおよび第２シロッコファンから送出された空気が複数の第１回路基板の第３方向における端部側から複数の第１回路基板の外側に流出することを抑制できる。よって、第１シロッコファンおよび第２シロッコファンから送出された空気を複数の第１回路基板における第２方向の奥側（第１シロッコファンおよび第２シロッコファンから離れた部位）まで効率良く導くことができる。よって、複数の第１回路基板のさらに効率的な冷却が可能となる。
【００１３】
［適用例４］上記適用例に係るプロジェクターにおいて、前記複数の第１回路基板は、当該プロジェクターの機能を拡張する拡張基板を有し、前記拡張基板は、前記複数の第１回路基板において前記接続基板が配置される側とは反対の端部側から前記接続基板に接続可能に構成されていることが好ましい。
【００１４】
この構成によれば、複数の第１回路基板は、接続基板に接続可能な拡張基板を備えている。これによって、拡張基板を有する構成であっても、第１シロッコファンおよび第２シロッコファンから送出された空気を複数の第１回路基板における第２方向の奥側まで効率良く導く構成を維持することが可能となる。よって、この拡張基板を含む複数の第１回路基板を効率的に冷却し、プロジェクターの機能を確実に拡張させることが可能となる。
【００１５】
［適用例５］上記適用例に係るプロジェクターにおいて、前記複数の第１回路基板において前記第１シロッコファンおよび前記第２シロッコファンが配置される側とは反対の端部側に配置され、第２集積回路を有する第２回路基板をさらに備え、前記第２集積回路は、前記第１シロッコファンから送出された空気と前記第２シロッコファンから送出された空気とが衝突した空気の進行方向に配置されていることが好ましい。
【００１６】
この構成によれば、発熱量が大きな第２集積回路を有する第２回路基板を有する構成であっても、第１シロッコファンおよび第２シロッコファンから送出された空気を利用して、この第２集積回路を冷却することが可能となる。よって、第２回路基板が有する機能を確実に発揮させるプロジェクターの提供が可能となる。
【００１７】
［適用例６］上記適用例に係るプロジェクターにおいて、外装を構成する外装筐体をさらに備え、前記外装筐体は、外部の空気を導入する吸気口を有し、前記吸気口は、前記第２方向に沿う方向から見て、少なくとも一部が前記第１シロッコファンと前記第２シロッコファンとの間の領域に重なる位置に配置されていることが好ましい。
【００１８】
この構成によれば、第１シロッコファンおよび第２シロッコファンは、吸入口が互いに向き合って配置されているので、互いの間の領域には、それぞれのシロッコファンに吸入される空気が流通する。そして、外装筐体の吸気口は、第２方向に沿う方向から見て、少なくとも一部がこの領域に重なるように形成されている。これによって、第１シロッコファンおよび第２シロッコファンは、外部の空気を直接導入して、この空気を複数の第１回路基板に送出することが可能となる。よって、複数の第１回路基板のより効率的な冷却が可能となる。
【図面の簡単な説明】
【００１９】
【図１】本実施形態のプロジェクターの概略構成を示す模式図。
【図２】本実施形態の回路装置および冷却装置を示す斜視図であり、前方斜め左方から見た図。
【図３】本実施形態の回路装置および冷却装置を示す斜視図であり、前方斜め右方から見た図。
【図４】本実施形態の複数の第１回路基板、本体フレームおよび冷却装置を示す斜視図。
【図５】本実施形態のプロジェクター内部の一部を示す部分断面図。
【図６】本実施形態の冷却装置の斜視図。
【発明を実施するための形態】
【００２０】
以下、本発明の実施形態について、図面を参照して説明する。なお、以下に示す各図においては、各構成要素を図面上で認識され得る程度の大きさとするため、各構成要素の寸法や比率を実際のものとは適宜異ならせてある。
本実施形態のプロジェクターは、光源から射出された光を画像情報に応じて変調し、変調した光をスクリーン等の投写面に拡大投写する。
【００２１】
〔プロジェクターの主な構成〕
図１は、本実施形態のプロジェクター１の概略構成を示す模式図である。
プロジェクター１は、図１に示すように、外装を構成する外装筐体２、光学ユニット３、回路装置４、および冷却装置６を備える。また、図示は省略するが、プロジェクター１は、内部の電子部品に電力を供給する電源装置を備える。なお、以下では、説明の便宜上、プロジェクター１の投写面側を前方（＋Ｙ方向）、プロジェクターが机上等に載置されて投写する姿勢において、プロジェクターの上側を上方（＋Ｚ方向）、前方（＋Ｙ方向）から見たプロジェクターの右側を右方（＋Ｘ方向）として記載する。
【００２２】
外装筐体２は、光学ユニット３、回路装置４、冷却装置６、および図示しない電源装置等を内部に収容する。また、外装筐体２は、複数の部材で構成され、外部の空気を導入する吸気口２１、および内部の温まった空気を排気する排気口（図示省略）を有している。本実施形態のプロジェクター１は、吸気口２１が外装筐体２の前面（＋Ｙ方向側）に設けられ、排気口が外装筐体２の後面（−Ｙ方向側）に設けられている。また、この吸気口２１には、防塵フィルター２２が配置されている。
【００２３】
光学ユニット３は、照明装置３１、複数の光変調装置３２、色合成光学装置３３、および投写光学装置としての投写レンズ３４を備える。
照明装置３１は、光を射出する光源３１１、図示しない色分離導光光学系を備える。色分離導光光学系は、光源３１１から射出された光を赤色光、緑色光および青色光に分離し、分離した各色光を各色光用の光変調装置３２に導く。
【００２４】
複数の光変調装置３２は、各色光用に設けられ、入射した色光を画像情報に応じて変調する。色合成光学装置３３は、各光変調装置３２で変調された各色光を合成し、画像光を形成する。投写レンズ３４は、色合成光学装置３３で合成された画像光をスクリーン等の投写面に投写する。
なお、光源３１１としては、放電型のものや、発光ダイオード、レーザー等の固体光源を用いることができる。また、光変調装置３２としては、透過型の液晶パネルや、反射型の液晶パネルを用いることができる。また、マイクロミラー型の装置、例えば、ＤＭＤ（Digital Micromirror Device）等を光変調装置３２とし、光学ユニットを構成することも可能である。
【００２５】
図２は、回路装置４および冷却装置６を示す斜視図であり、前方斜め左方から見た図である。図３は、回路装置４および冷却装置６を示す斜視図であり、前方斜め右方から見た図である。
回路装置４は、図２に示すように、複数の第１回路基板４１、接続基板４２、第２回路基板４３、インターフェイス基板（図示省略）、およびフレーム５を有している。
複数の第１回路基板４１は、空間を介して上下方向（Ｚ方向）に重ねられている。上下方向（Ｚ方向）は第１方向に相当する。また、前後方向（Ｙ方向）は、第２方向に相当し、左右方向（Ｘ方向）は、第３方向に相当する。なお、図示は省略するが、プロジェクター１は、光源３１１を駆動する光源駆動部、および光変調装置３２を駆動するパネル駆動部を備えている。
【００２６】
図示しないインターフェイス基板は、外部機器からの信号が入力される入力端子を有し、複数の第１回路基板４１の下方（−Ｚ方向）に配置され、また、この入力端子が外装筐体２の側面から露出するように配置されている。
【００２７】
複数の第１回路基板４１は、冷却装置６を挟んで吸気口２１の後方（−Ｙ方向）に配置されている（図１参照）。複数の第１回路基板４１は、図２に示すように、下方から上方に向かって（＋Ｚ方向において）順次配置された制御基板４１Ａ、第１拡張基板４１Ｂ、第２拡張基板４１Ｃ、および画像処理基板４１Ｄを有している。
【００２８】
制御基板４１Ａは、配線基板、およびこの配線基板に実装されたＣＰＵ（Central Processing Unit）やＲＯＭ（Read Only Memory）、ＲＡＭ（Random Access Memory）等の回路素子を有し、プロジェクター１の制御、例えば、画像の投写に関わる制御等を行う。制御基板４１Ａは、図２および図３に示すように、ＸＹ平面における大きさが第１拡張基板４１Ｂ、第２拡張基板４１Ｃ、および画像処理基板４１Ｄよりも大きく形成されている。具体的に、制御基板４１Ａは、第１拡張基板４１Ｂ、第２拡張基板４１Ｃ、および画像処理基板４１Ｄに対し、前側（＋Ｙ方向側）、後側（−Ｙ方向側）、および右側（＋Ｘ方向側）が飛び出す大きさに形成されている。
【００２９】
画像処理基板４１Ｄは、配線基板、この配線基板に実装された第１集積回路４１Ｄｉ（図５参照）等の回路素子、および第１ヒートシンク４１Ｄｈを有し、図示しないケーブルを介して制御基板４１Ａに接続されている。第１集積回路４１Ｄｉは、画像処理を行う集積回路であり、配線基板の上面に設けられている。第１ヒートシンク４１Ｄｈは、第１集積回路４１Ｄｉに積層されている。
【００３０】
画像処理基板４１Ｄは、各種入力信号を、各光変調装置３２の各画素の階調を表す画像情報、すなわち各画素に印加する駆動電圧を規定する画像情報に変換する。さらに、画像処理基板４１Ｄは、制御基板４１Ａの指示に基づいて、変換した画像情報に対して、画質調整（明るさ、コントラスト、シャープネス、色合等）を施す。また、本実施形態の第１集積回路４１Ｄｉは、高解像度（例えば、約４，０００×約２，０００画素のいわゆる４Ｋ２Ｋの解像度）の画像を処理可能に構成されている。このため第１集積回路４１Ｄｉは、発熱量が大きく、効率的な冷却が求められている。
【００３１】
第１拡張基板４１Ｂおよび第２拡張基板４１Ｃは、プロジェクター１の機能を拡張する。
第１拡張基板４１Ｂは、配線基板、この配線基板に実装された回路素子、および第１入力端子４１Ｂｊ（図２参照）を有し、後述する接続基板４２を介して制御基板４１Ａに接続されている。第１入力端子４１Ｂｊは、例えば、ＢＮＣ端子であり、外部機器からＳＤＩ信号が入力可能に構成されている。
【００３２】
第２拡張基板４１Ｃは、配線基板、この配線基板に実装された回路素子、および第２入力端子４１Ｃｊ（図２参照）を有し、接続基板４２を介して制御基板４１Ａに接続されている。第２入力端子４１Ｃｊは、例えば、ＨＤＭＩ（登録商標）規格に準拠した端子であり、外部機器からこの規格に準拠した信号が入力可能に構成されている。
【００３３】
図示は省略するが、第１拡張基板４１Ｂおよび第２拡張基板４１Ｃのそれぞれは、図示しない端子枠、および回路素子を覆うシールド部材を備え、接続基板４２に対し、プロジェクター１の外部（外装筐体２の−Ｘ方向側）から接続可能に構成されている。すなわち、第１拡張基板４１Ｂおよび第２拡張基板４１Ｃのそれぞれは、複数の第１回路基板４１において後述の接続基板４２が配置される側とは反対の端部側（−Ｘ方向側）から、接続基板４２に接続可能に構成されている。
【００３４】
第１拡張基板４１Ｂの端子枠は、第１入力端子４１Ｂｊを露出させる開口部を有し、第１拡張基板４１Ｂにおける配線基板の−Ｘ方向側の端部に配置されている。同様に、第２拡張基板４１Ｃの端子枠は、第２入力端子４１Ｃｊを露出させる開口部を有し、第２拡張基板４１Ｃにおける配線基板の−Ｘ方向側の端部に配置されている。
また、外装筐体２は、第１拡張基板４１Ｂおよび第２拡張基板４１Ｃをプロジェクター１から挿抜可能とする開口部（図示省略）が形成された枠体２３（図５参照）を有している。
【００３５】
このように、プロジェクター１は、第１拡張基板４１Ｂおよび第２拡張基板４１Ｃを備え、インターフェイス基板だけでは対応できない外部からの信号に基づいた投写が可能に構成されている。また、プロジェクター１は、第１拡張基板４１Ｂおよび第２拡張基板４１Ｃが挿抜可能に構成されているので、第１拡張基板４１Ｂおよび第２拡張基板４１Ｃとは機能が異なるオプションの回路基板の装着が可能となる。
【００３６】
接続基板４２は、配線基板、およびこの配線基板に実装された複数のコネクター等を有している。複数のコネクターは、制御基板４１Ａ、第１拡張基板４１Ｂ、および第２拡張基板４１Ｃのそれぞれの接続に対応するコネクターを含んでいる。そして、接続基板４２は、制御基板４１Ａと第１拡張基板４１Ｂとを接続し、また、制御基板４１Ａと第２拡張基板４１Ｃとを接続する。
接続基板４２は、図３に示すように、左右方向（Ｘ方向）における複数の第１回路基板４１の端部側（＋Ｘ方向側）に配置されており、上下方向（Ｚ方向）に沿って延出している。具体的に、配線基板は、上下方向（Ｚ方向）において、制御基板４１Ａにおける配線基板の上面近傍から画像処理基板４１Ｄの配線基板近傍まで延出している。
【００３７】
このように、接続基板４２は、上下方向（第１方向）および前後方向（第２方向）に交差する（本実施形態では、直交する）左右方向（第３方向）における複数の第１回路基板４１の一方の端部側に配置されている。そして、第１拡張基板４１Ｂおよび第２拡張基板４１Ｃは、左右方向（第３方向）における複数の第１回路基板４１の他方の端部側から接続基板４２に接続可能に構成されている。
【００３８】
第２回路基板４３は、配線基板、この配線基板に実装された第２集積回路等の回路素子、および第２集積回路に積層された第２ヒートシンク４３ｈを有し、図示しないケーブルを介して制御基板４１Ａに接続されている。第２回路基板４３は、さらなる画質調整等の機能を付加する機能を有している。第２回路基板４３は、第２集積回路および第２ヒートシンク４３ｈが配線基板の上面に設けられている。また、第２集積回路および第２ヒートシンク４３ｈは、画像処理基板４１Ｄにおける第１ヒートシンク４１Ｄｈの後方（−Ｙ方向側）に設けられている。すなわち、第２回路基板４３は、複数の第１回路基板４１において後述する冷却装置６が配置される側（＋Ｙ方向側）とは反対の端部側（−Ｙ方向側）に配置されている。
【００３９】
フレーム５は、詳細な説明は省略するが、本体フレーム５１等の複数の部材を有し、複数の第１回路基板４１、接続基板４２、第２回路基板４３、およびインターフェイス基板（図示省略）を支持する。
図４は、複数の第１回路基板４１、本体フレーム５１および冷却装置６を示す斜視図であり、斜め後方から見た図である。
【００４０】
本体フレーム５１は、板金で形成され、図２、図４に示すように、第２拡張基板４１Ｃと画像処理基板４１Ｄとの間に位置する上面部５１１、上面部５１１の前端（＋Ｙ方向の端部）から下方（−Ｚ方向）に屈曲された前面部５１２、および上面部５１１の後端（−Ｙ方向の端部）から下方に屈曲された後面部５１３を有している。前面部５１２は、第１拡張基板４１Ｂおよび第２拡張基板４１Ｃの前側（＋Ｙ方向側）に位置し、冷却装置６から送出された空気の一部が通過する通気孔５１２ｈが形成されている。後面部５１３は、第１拡張基板４１Ｂおよび第２拡張基板４１Ｃの後側（−Ｙ方向側）に位置し、空気が通過する通気孔５１３ｈが形成されている。
【００４１】
冷却装置６は、図２に示すように、第１シロッコファン６１、第２シロッコファン６２、およびダクト部材７を備え、防塵フィルター２２（図１参照）と、複数の第１回路基板４１との間に配置されている。冷却装置６は、吸気口２１から外部の空気を導入し、この空気によって複数の第１回路基板４１を含む回路装置４を冷却する。なお、図示は省略するが、プロジェクター１は、冷却装置６以外にも、光源３１１や光変調装置３２を冷却する装置を備えている。
【００４２】
〔冷却装置の構成〕
ここで、冷却装置６について、詳細に説明する。
図５は、プロジェクター１内部の一部を示す部分断面図であり、冷却装置６および複数の第１回路基板４１を上方（＋Ｚ方向）から見た平面図である。図６は、冷却装置６の斜視図であり、斜め後方から見た図である。
図３、図６に示すように、第１シロッコファン６１は、空気を吸入する吸入口６１ｉ、および空気を送出する送出口６１ｅを有している。また、第２シロッコファン６２は、空気を吸入する吸入口６２ｉ、および空気を送出する送出口６２ｅを有している。第１シロッコファン６１および第２シロッコファン６２は、図５に示すように、複数の第１回路基板４１の前方の端部側（＋Ｙ方向側）に配置され、複数の第１回路基板４１に向かって空気を送出する。すなわち、第１シロッコファン６１および第２シロッコファン６２は、上下方向（第１方向）に直交する前後方向（第２方向）における複数の第１回路基板４１の一方の端部側に配置されている。なお、前後方向（第２方向）における複数の第１回路基板４１の他方（後方）の端部側には、第２回路基板４３が配置されている。
【００４３】
また、第１シロッコファン６１および第２シロッコファン６２は、左右方向（Ｘ方向）に並設され、それぞれの吸入口６１ｉ，６２ｉが互いに向き合い、また、前後方向（Ｙ方向）に対して互いに傾斜して配置されている。具体的に、第１シロッコファン６１および第２シロッコファン６２は、第１シロッコファン６１から送出される空気の第１送出方向と、第２シロッコファン６２から送出される空気の第２送出方向とが交差するように配置されている。換言すると、第１シロッコファン６１および第２シロッコファン６２は、図５に示すように、複数の第１回路基板４１から、後述するダクト部材７の流入口７１と対向する位置に配置される吸気口２１に向かうにしたがって、互いの距離が大きくなるように、互いに傾斜している。すなわち、第１シロッコファン６１と第２シロッコファン６２との間には、図５に示すように、吸気口２１側（＋Ｙ方向側）に向かって拡がる領域（対向領域６Ａ）が設けられている。
【００４４】
ダクト部材７は、ダクト部材７の上側（＋Ｚ方向側）を形成する部材、およびダクト部材７の下側（−Ｚ方向側）を形成する部材を有し、これらの部材が組み合わされて第１シロッコファン６１および第２シロッコファン６２を収納するように形成されている。ダクト部材７は、図６に示すように、第１シロッコファン６１の外面（吸入口６１ｉが設けられる面とは反対側の面）および第２シロッコファン６２の外面（吸入口６２ｉが設けられる面とは反対側の面）に倣うように形成され、空気の流入口７１（図３、図５参照）、および空気の流出口７２を有している。
【００４５】
流入口７１は、図５に示すように、対向領域６Ａの前側（＋Ｙ方向側）に設けられ、外装筐体２における吸気口２１の内側の周縁に沿うような形状を有している。すなわち、吸気口２１は、対向領域６Ａと直線状に連通している。より具体的に、吸気口２１は、外装筐体２において、前後方向（Ｙ方向）に沿う方向から見て、少なくとも一部が第１シロッコファン６１と第２シロッコファン６２との間の対向領域６Ａに重なる位置に配置されている。なお、本実施形態において吸気口２１は、外装筐体２において、対向領域６Ａに対して対向する位置に配置されている。
【００４６】
流出口７２は、図６に示すように、送出口６１ｅ，６２ｅの後側（−Ｙ方向側）に設けられ、第１シロッコファン６１および第２シロッコファン６２から送出される空気を流出させる。流出口７２の周縁の一部は、ダクト部材７において複数の第１回路基板４１が配置される側（−Ｙ方向側）に突出している。この周縁の一部を突起部７３とする。
【００４７】
冷却装置６は、図４、図５に示すように、ダクト部材７の流出口７２が設けられる側の一部が制御基板４１Ａの上方（＋Ｚ方向）に位置するように配置されている。
突起部７３は、図４に示すように、本体フレーム５１の上面部５１１の上側（＋Ｚ方向側）に位置するように形成されている。そして、突起部７３と上面部５１１との間には、流出口７２の一部が配置されている。この突起部７３と上面部５１１との間に設けられた流出口７２の一部を第１流出口７２ａとし、流出口７２における第１流出口７２ａ以外の残部を第２流出口７２ｂとする。すなわち、冷却装置６は、第１流出口７２ａが画像処理基板４１Ｄの前方（＋Ｙ方向）に配置され、第２流出口７２ｂが制御基板４１Ａの上方（＋Ｚ方向）であり、かつ、第１拡張基板４１Ｂおよび第２拡張基板４１Ｃの前方（＋Ｙ方向）に配置されるように、複数の第１回路基板４１に対して配置されている。
【００４８】
第１流出口７２ａの左右方向（Ｘ方向）の大きさは、第２流出口７２ｂの左右方向の大きさより小さく形成されている。また、第１流出口７２ａの上下方向（Ｚ方向）の大きさは、第２流出口７２ｂの上下方向の大きさより小さく形成されている。そして、画像処理基板４１Ｄにおける第１集積回路４１Ｄｉおよび第１ヒートシンク４１Ｄｈは、第１流出口７２ａの後方（−Ｙ方向）への延長上に配置されている。
【００４９】
また、ダクト部材７は、図６に示すように、突起部７３の左右両側（＋Ｘ方向側および−Ｘ方向側）からそれぞれ突出する一対の板状部７４、および第２流出口７２ｂにおける下側の周縁部近傍から突出する複数の板状部７５を有している。板状部７４、７５には、貫通孔が形成されている。そして、第１シロッコファン６１および第２シロッコファン６２が収納されたダクト部材７は、板状部７４、７５の貫通孔にネジが挿通されてフレーム５に固定される。
【００５０】
次に、第１シロッコファン６１および第２シロッコファン６２から送出された空気の流れについて説明する。
第１シロッコファン６１および第２シロッコファン６２が駆動されると、図５に示すように、プロジェクター１外部の空気が吸気口２１から防塵フィルター２２を介して第１シロッコファン６１および第２シロッコファン６２に吸入される。この第１シロッコファン６１および第２シロッコファン６２に吸入された空気は、防塵フィルター２２により、外部の塵埃が除去された空気となっている。そして、第１シロッコファン６１および第２シロッコファン６２に吸入された空気は、流出口７２から複数の第１回路基板４１に向かって送出される。
【００５１】
第１シロッコファン６１および第２シロッコファン６２は、前述したように、互いに傾斜しているので、第１シロッコファン６１から送出された空気と、第２シロッコファン６２から送出された空気とが衝突し、乱流となって複数の第１回路基板４１を流れる。具体的に、図４に示すように、第１流出口７２ａから流出した空気は、画像処理基板４１Ｄにおける配線基板の上側（＋Ｚ方向側）および下側（−Ｚ方向側）を流通し、画像処理基板４１Ｄを冷却する。特に、画像処理基板４１Ｄの第１集積回路４１Ｄｉおよび第１ヒートシンク４１Ｄｈは、第１流出口７２ａの後方（−Ｙ方向）への延長上に配置されているので、効率良く空気が流通する。
【００５２】
また、第１ヒートシンク４１Ｄｈ等の冷却対象の部材において、乱流は、層流では生じる部材表面での温度境界層が抑制されるので、部材表面と流通する空気との間で熱交換を良好に行わせることができる。すなわち、層流では、部材表面に生じた温度境界層によって部材表面上の風速が減衰するが、乱流ではこの風速の減衰が抑制されるので、部材の効率的な冷却が可能となる。なお、第１ヒートシンク４１Ｄｈが有する複数のフィンは、前後方向（Ｙ方向）、すなわち、空気の流通方向に沿って延出している。
【００５３】
さらに、ダクト部材７の第１流出口７２ａは、複数の第１回路基板４１が配置される側（−Ｙ方向側）に突出する突起部７３により、左右方向（Ｘ方向）の大きさが第２流出口７２ｂの左右方向（Ｘ方向）の大きさよりも小さく形成されているため、第１シロッコファン６１および第２シロッコファン６２は、第１流出口７２ａを介して、複数の第１回路基板４１に向かってより狭い範囲に集中的に空気を送出することができる。すなわち、第１シロッコファン６１および第２シロッコファン６２は、第１流出口７２ａから送出される空気によって、高解像度画像の処理を実行可能に構成され発熱量の大きい第１集積回路４１Ｄｉを、より一層効率的に冷却することができる。
このように、第１集積回路４１Ｄｉは、第１シロッコファン６１から送出された空気と第２シロッコファン６２から送出された空気とが衝突した空気の進行方向に配置され、効率良く冷却される。
【００５４】
第２流出口７２ｂから流出した空気は、制御基板４１Ａにおける配線基板の上側（＋Ｚ方向側）に加え、第１拡張基板４１Ｂの配線基板における上下両側（＋Ｚ方向側および−Ｚ方向側）、および第２拡張基板４１Ｃの配線基板における上下両側を流通し、各回路素子を冷却する。また、図５に示すように、接続基板４２が複数の第１回路基板４１の右側（＋Ｘ方向側）に配置され、外装筐体２（枠体２３）が複数の第１回路基板４１の左側（−Ｘ方向側）に配置されているので、第２流出口７２ｂから流出した空気を効率良く後方（−Ｙ方向側）に流通させることができる。すなわち、第２流出口７２ｂから流出した空気は、複数の第１回路基板４１における後側の部位まで効率良く流通する。
【００５５】
複数の第１回路基板４１を流通した空気は、複数の第１回路基板４１の後方（−Ｙ方向側）に位置する第２回路基板４３に向かって流れ、第２回路基板４３を冷却する。
また、第２ヒートシンク４３ｈが第１ヒートシンク４１Ｄｈの後方に設けられているので、第１ヒートシンク４１Ｄｈを流通した空気は、有効に第２ヒートシンク４３ｈを流通する。このように、第２集積回路は、第１シロッコファン６１から送出された空気と第２シロッコファン６２から送出された空気とが衝突した空気の進行方向に配置され、効率良く冷却される。第２回路基板４３を冷却した空気は、外装筐体２の排気口（図示省略）から外装筐体２外部に排出される。
このように、冷却装置６は、互いに傾斜して配置された第１シロッコファン６１および第２シロッコファン６２を備え、回路装置４を冷却する。
【００５６】
以上述べたように、本実施形態に係るプロジェクター１によれば、以下の効果を得ることができる。
（１）第１シロッコファン６１および第２シロッコファン６２が複数の第１回路基板４１の端部側からこの複数の第１回路基板４１に向かって空気を送出するので、複数の第１回路基板４１をまとめて冷却することができる。また、第１シロッコファン６１および第２シロッコファン６２は、軸流ファンに比べて風速を高めて空気を送出するので、複数の第１回路基板４１が有する特に発熱量が大きな回路素子を効率良く冷却することが可能となる。
また、第１シロッコファン６１および第２シロッコファン６２は、第１送出方向と第２送出方向とが交差するように配置され、複数の第１回路基板４１に乱流となった空気を流通させるように配置されている。これによって、層流では生じる部材表面での温度境界層を抑制し、複数の第１回路基板４１を効率良く冷却することが可能となる。
また、第１シロッコファン６１および第２シロッコファン６２は、互いに傾斜して並設されているので、２つの軸流ファンが並設された構成に比べ、外装筐体２内の並設されている方向の占有領域が小さく構成される。
したがって、発熱量が大きな回路素子を有し、複数の第１回路基板４１を備えた構成であっても、大型化を抑制しつつ、高信頼性の複数の第１回路基板４１を備えたプロジェクター１の提供が可能となる。
【００５７】
（２）第１シロッコファン６１と第２シロッコファン６２とが互いに傾斜し、吸入口６１ｉと吸入口６２ｉとが互いに向き合うように配置されているので、２つの軸流ファンが並設された構成に比べ、外装筐体２における吸気口２１の形成領域を小さなものとすることが可能となる。
【００５８】
（３）第１集積回路４１Ｄｉは、第１シロッコファン６１から送出された空気と第２シロッコファン６２から送出された空気とが衝突した空気の進行方向に配置されている。これによって、第１シロッコファン６１から送出された空気と、第２シロッコファン６２から送出された空気との衝突で発生する乱流を有効に第１集積回路４１Ｄｉに流通させることができる。よって、第１集積回路４１Ｄｉが効率良く冷却されるので、高信頼性の画像処理基板４１Ｄを備えたプロジェクター１の提供が可能となる。
【００５９】
（４）接続基板４２が複数の第１回路基板４１の右側（＋Ｘ方向側）に配置され、第２流出口７２ｂから流出した空気が複数の第１回路基板４１における後側（−Ｙ方向側）の部位まで効率良く流通するように構成されている。これによって、複数の第１回路基板４１のさらに効率的な冷却が可能となる。
【００６０】
（５）複数の第１回路基板４１は、接続基板４２に接続可能な第１拡張基板４１Ｂおよび第２拡張基板４１Ｃを備えている。これによって、第１拡張基板４１Ｂおよび第２拡張基板４１Ｃを有する構成であっても、第１シロッコファン６１および第２シロッコファン６２から送出された空気を複数の第１回路基板４１における後側（−Ｙ方向側）の部位まで効率良く流通させる構成を維持することが可能となる。よって、この第１拡張基板４１Ｂおよび第２拡張基板４１Ｃを含む複数の第１回路基板４１を効率的に冷却し、プロジェクター１の機能を確実に拡張させることが可能となる。
【００６１】
（６）第２集積回路は、第１シロッコファン６１から送出された空気と第２シロッコファン６２から送出された空気とが衝突した空気の進行方向に配置されている。これによって、発熱量が大きな第２集積回路を有する第２回路基板４３を有する構成であっても、第１シロッコファン６１および第２シロッコファン６２から送出された空気を利用して、この第２集積回路を冷却することが可能となる。よって、第２回路基板４３が有する機能を確実に発揮させるプロジェクター１の提供が可能となる。
【００６２】
（７）外装筐体２の吸気口２１は、対向領域６Ａと直線状に連通している。これによって、第１シロッコファン６１および第２シロッコファン６２は、プロジェクター１外部の空気を防塵フィルター２２以外の媒体を介さずに直接導入して、この空気を複数の第１回路基板４１に送出することが可能となる。よって、複数の第１回路基板４１のより効率的な冷却が可能となる。
【００６３】
（８）プロジェクター１は、吸気口２１に配置された防塵フィルター２２を備えているので、回路装置４に塵埃が付着することを抑制することができる。
【００６４】
なお、本発明は上述した実施形態に限定されず、上述した実施形態に種々の変更や改良等を加えることが可能である。以下に変形例を述べる。
前記実施形態のプロジェクター１は、複数の第１回路基板４１が４つの回路基板で構成されているが、４つに限定されるものではなく、２つ以上で構成されていればよい。
【００６５】
前記実施形態のプロジェクター１は、複数の第１回路基板４１が挿抜可能な２つの回路基板（第１拡張基板４１Ｂおよび第２拡張基板４１Ｃ）を備えて構成されているが、２つ以外の数の挿抜可能な回路基板を備える構成であっても、挿抜可能な回路基板を備えない構成であってもよい。
【００６６】
前記実施形態のプロジェクター１は、前後方向（第２方向）における複数の第１回路基板４１の後方の端部側（−Ｙ方向側）に配置された第２回路基板４３を備えているが、この第２回路基板４３を備えないプロジェクターを構成してもよい。
【００６７】
前記実施形態の複数の第１回路基板４１は、制御基板４１Ａを含んで構成されているが、制御基板を含まない複数の第１回路基板を構成してもよい。例えば、図示を省略した電源装置が複数の回路基板を有する構成とし、この複数の回路基板を複数の第１回路基板とする態様であってもよい。
【００６８】
前記実施形態のプロジェクター１は、第１シロッコファン６１および第２シロッコファン６２に外気を導入する吸気口２１が外装筐体２の前面（＋Ｙ方向側）に設けられているが、前面以外に設ける構成であってもよい。例えば、外装筐体２の上面（＋Ｚ方向側）や下面（−Ｚ方向側）に吸気口を設ける構成であってもよく、この吸気口が対向領域６Ａに直線状に連通するように形成されていることが好ましい。この構成の場合、吸気口は、上下方向（第１方向）に沿う方向から見て、少なくとも一部が対向領域６Ａに重なるように形成されることとなる。
【００６９】
前記実施形態のプロジェクター１は、吸気口２１に防塵フィルター２２が配置されているが、防塵フィルター２２を配置しない構成であってもよい。
【符号の説明】
【００７０】
１…プロジェクター、２…外装筐体、６…冷却装置、６Ａ…対向領域（領域）、２１…吸気口、３２…光変調装置、３４…投写レンズ（投写光学装置）、４１…複数の第１回路基板、４１Ａ…制御基板、４１Ｂ…第１拡張基板、４１Ｃ…第２拡張基板、４１Ｄ…画像処理基板、４１Ｄｈ…第１ヒートシンク、４１Ｄｉ…第１集積回路、４２…接続基板、４３…第２回路基板、４３ｈ…第２ヒートシンク、６１…第１シロッコファン、６１ｉ，６２ｉ…吸入口、６２…第２シロッコファン、３１１…光源。
【図１】
2019082528.tif 000003
【図２】
2019082528.tif 000004
【図３】
2019082528.tif 000005
【図４】
2019082528.tif 000006
【図５】
2019082528.tif 000007
【図６】
2019082528.tif 000008